(57)【要約】【課題】  化粧シートの表現力を多様化することができ、「照り感」や「モアレ」などの表現を実現することができ、照り感など独特の風合いを持たせることができ、多彩な表現力などを得ることができる透明多層反射フィルムとその製造方法およびデザインシートとその製造方法を提供することである。【解決手段】  平面視形状が平行線群、曲線群、又はそれらを組合せた第１万線状溝６Ａ、第２万線状溝６Ｂが透明樹脂中の空隙により形成された第１エンボスフィルム４Ａ、第２エンボスフィルム４Ｂを複数段積層した積層フィルム４を設け、前記積層フィルム４の表面に平滑面８ｃが形成されている。【選択図】図１
2016107563.tif 000002
【特許請求の範囲】
【請求項１】
平面視形状が平行線群、曲線群、又はそれらを組合せた万線状溝の模様が透明樹脂中の空隙により形成された透明反射フィルムのエンボスフィルムを複数段積層した積層フィルムを設け、
前記積層フィルムの表面に平滑面が形成されていることを特徴とする透明多層反射フィルム。
【請求項２】
前記積層フィルムは、少なくとも第１エンボスフィルムと第２エンボスフィルムの二層のエンボスフィルムを有し、
前記第１エンボスフィルムは、少なくとも表面に前記万線状溝の模様が形成された透明樹脂の第一層と、前記第一層の上に積層された透明樹脂の第二層とが一体的に積層された積層体によって形成され、
前記万線状溝の模様は、前記積層体の前記第一層と前記第二層との間の空隙により構成されていることを特徴とする請求項１に記載の透明多層反射フィルム。
【請求項３】
前記積層体は、前記第一層と前記第二層とが同一材料で形成され、
前記第一層の前記万線状溝の溝深さよりも前記第二層の厚さの方が小さく設定され、かつ前記第一層の上面と前記第二層の下面との接合部が溶融状態で接合されて一体化され、
前記第一層と前記第二層との接合時の成形温度は、前記第一層よりも前記第二層の温度が高い温度で成形されていることを特徴とする請求項２に記載の透明多層反射フィルム。
【請求項４】
前記第二層は、前記第一層との接合面と反対側の面に同一材料で形成された表面層がさらに接合され、前記表面層の表面に前記平滑面が形成されていることを特徴とする請求項３に記載の透明多層反射フィルム。
【請求項５】
前記透明樹脂は、オレフィン系樹脂、ポリカーボネイト樹脂、ＭＳ樹脂、アクリル系樹脂、ポリスチレン系樹脂のうちのいずれかである請求項１〜４のいずれかに記載の透明多層反射フィルム。
【請求項６】
前記第２エンボスフィルムは、少なくとも表面に前記万線状溝の模様が形成された透明樹脂の第三層によって形成され、
前記第２エンボスフィルムの前記万線状溝の模様の成形面が前記第一層の下面と溶融状態で接合されて一体化されていることを特徴とする請求項２に記載の透明多層反射フィルム。
【請求項７】
前記積層フィルムは、前記第２エンボスフィルムの前記万線状溝の模様が前記第１エンボスフィルムの前記万線状溝の模様と非対応に配置されていることを特徴とする請求項２に記載の透明多層反射フィルム。
【請求項８】
任意の絵柄のデザイン模様が印刷された基材シート上に、請求項１に記載の透明多層反射フィルムが積層されて形成されていることを特徴とするデザインシート。
【請求項９】
前記デザイン模様は、木目であることを特徴とする請求項８に記載のデザインシート。
【請求項１０】
同種の透明樹脂を高温状態と低温状態とした一種二層で溶融押出成形する際に、低温状態の第１の透明樹脂を用いて平面視形状が平行線群、曲線群、又はそれらを組合せた万線状溝の模様の賦形を行い透明樹脂の第一層を成形し、
高温状態側の第２の透明樹脂の第二層を前記第一層の前記万線状溝の成形面側に積層することで、表面に平滑面が形成された透明樹脂の第二層と前記第一層とが一体的に積層された積層体を成形し、
低温状態の第１の透明樹脂を用いて前記万線状溝の模様の賦形を行い透明樹脂の第一層を成形する工程と、
高温状態側の第２の透明樹脂の第二層を前記第一層の前記万線状溝の模様面に積層する工程とを繰り返すことで、多層化され、その最表面に平坦面を成形して成ることを特徴とする透明多層反射フィルムの製造方法。
【請求項１１】
任意の絵柄のデザイン模様が印刷された基材シート上に、請求項１の透明多層反射フィルムが熱圧着によって積層状態で接合されるデザインシートを成形することを特徴とするデザインシートの製造方法。
【請求項１２】
任意の絵柄のデザイン模様が印刷された基材シート上に、請求項２の透明多層反射フィルムの前記透明反射フィルム本体の前記第一層を積層した第１積層体を成形する第１の積層工程と、
前記第１積層体の前記第一層の前記万線状溝の上側に前記第二層を一体的に積層した第２積層体を成形する第２の積層工程とを有し、
前記第２の積層工程時に前記第一層の前記万線状溝の溝深さよりも前記第二層の厚さの方が小さく設定され、かつ
前記第一層と前記第二層との接合時の成形温度は、前記第一層よりも前記第二層の温度が高い温度で成形されて前記第一層の上面と前記第二層の下面との接合部が溶融状態で接合されて一体化され、
さらに、前記透明反射フィルム本体の前記第一層を成形する第一層成形工程と、前記第二層を前記第一層の前記万線状溝の成形面側に積層する第二層成形工程とを繰り返すことで多層化する多層化工程とを具備することを特徴とするデザインシートの製造方法。
【発明の詳細な説明】
【技術分野】
【０００１】
本発明は、樹脂製の透明多層反射フィルムとその製造方法およびデザインシートとその製造方法に関する。
【背景技術】
【０００２】
既存の化粧シートなどで使用される反射フィルムは、エンボス加工（微細な凹凸加工）を施した透明なプラスチックフィルムと、印刷や、コーティングとを組み合わせたシート構造になっている。このようなシート構造の化粧シートを目視した場合、光線の透過や反射を用いて視覚効果を向上させることが出来る。
【０００３】
特許文献１には、木目柄を印刷した着色基材シートの上に、表面に凹凸を設けた透明層を積層した構成の樹脂製の化粧シートが開示されている。特許文献２には、立体模様化粧材の製造方法が開示されている。ここでは、シート生地に塗膜塗装を積層させたのち、この積層塗膜シート生地を基材に貼着させる。続いて、シート生地の塗膜部にエンボス加工を施し、エンボス加工によって塗料積層部に形成された凹凸の輪郭模様の凸状部分から所望の塗層色を研ぎ出し、研ぎ出された塗層の色彩、あるいは研ぎ出された地肌により基材表面に立体模様を現出させる製造方法が記載されている。
【先行技術文献】
【特許文献】
【０００４】
【特許文献１】特許第４４２８６０２号公報
【特許文献２】特開２００８−１０５２５６号公報
【発明の概要】
【発明が解決しようとする課題】
【０００５】
天然木目の板の表面には、木目模様とは異なる光沢模様、いわゆる「照り」を有したものがある。この照りは、木材表面の正反射光以外の方向に反射する光線のうち、木材表面の一部に反射エリアを有しており、視点あるいは照明位置の変化に伴い、この反射エリアの形状や位置が変化する、部分的な光線反射現象である。樹脂製の化粧シートで、精巧な天然木目を再現するには、この照りの再現が必要である。しかし、特許文献１に記載の木目柄を印刷したシートの表面に凹凸を設けた化粧シートでは、表面の凹凸面で強い反射光が生じないため、照り感の向上には繋がらない。また、シート表面の凹凸模様の絵柄との同調や、照り状態のコントロールなどを行なったとしても、シート表面に凹凸形状を有することから、シート表面での正反射光により生起するグロス感とはトレードオフとなり、結果として見劣りするものであった。
【０００６】
また、透明層の裏面側に凹凸をつけ、最表面は平滑面とする構成も考案されている。しかしながら、この場合は、凹凸面での光線反射が弱くなり、照り光の表現力としては不足してしまう。
【０００７】
従来の方法では、木目柄を印刷したシートの上に、表面に凹凸を設けた透明層を積層した構成を基本として、最表面層に保護層としてハードコート層を設けたり、更にはそのハードコート層に光散乱用のフィラーなどを含ませて、マット層とした構成の化粧シートなど、数々の加工バリエーションを有している。この場合、最表面層での光反射を用いることから、表面のマット形状は、凹凸形状を埋めてはならないなどの制約があり、その自由度が少ない。したがって、従来のシート構造では、表現力に限界があった。
【０００８】
本発明の課題は、化粧シートの表現力を多様化することができ、「照り感」や「モアレ」などの表現を実現することができ、照り感など独特の風合いを持たせることができ、多彩な表現力などを得ることができる透明多層反射フィルムとその製造方法およびデザインシートとその製造方法を提供することにある。
【課題を解決するための手段】
【０００９】
グロス感はシート表面で生じる正反射光により醸し出されており、この正反射光は平滑面によりのみ、得られる。そのため、充分なグロス感を得るためには、最表面に平滑層を設定することが必要である。一方で、天然木目の板の表面のような照り光を得るための構造として、透明樹脂層の内部に空気層を設けている。この空気層では、透明樹脂層を構成する樹脂の屈折率と、空気の屈折率との差が反射率を決定する重要な要素となる。本発明では、いわゆる発泡層としてではなく、エンボスパターンとして構成された微細な空気トンネルを配設した構造としている。これにより、空気との境界面における強い反射光を規則性を持って反射させ、照り光として知覚させることができる。
【００１０】
この透明樹脂層の内部に空気層の模様の溝形状を作るためには、エンボス法を用いて透明樹脂層の表面に反射用の凹凸部を形成した後に、これと同じ樹脂で最外面が平滑面となるようにもう一層“蓋”となる層を設ける。
【００１１】
各層間の接着方法について、接着剤を用いる場合、部材と接着剤の屈折率が一致しないために境界面での反射光が生じてしまい、狙った効果が得られないばかりか、構成部材が増えるためにコストの増加にも繋がり、好ましくない。また、押出法を用いたエンボスプロセスにおいても、高温の樹脂をシートに押出して加工するため、エンボス済みのシート上に樹脂を押出した場合にはエンボスの凹凸も溶融し、消失してしまうといった問題がある。
【００１２】
そこで、本発明では、空気層の溝形状の模様を作るための凹凸面を形成したエンボスシートと、蓋となる平坦層を形成する際の樹脂を１種二層の共押出しとしている。そして、空気層の溝形状の模様を作るための凹凸面が形成された第一層を溶融吐出ギリギリの低温で押出し、この第一層に接触する第二層を溝形状深さよりも薄く、かつ、高温で押出し、シートの形成を行なう方法で、内部に空気層を有した透明反射フィルムを一括成形で得られることを見出した。
【００１３】
請求項１に記載の発明では、平面視形状が平行線群、曲線群、又はそれらを組合せた万線状溝の模様が透明樹脂中の空隙により形成された透明反射フィルムのエンボスフィルムを複数段積層した積層フィルムを設け、前記積層フィルムの表面に平滑面が形成されていることを特徴とする透明多層反射フィルムを提供する。
【００１４】
請求項２に記載の発明では、前記積層フィルムは、少なくとも第１エンボスフィルムと第２エンボスフィルムの二層のエンボスフィルムを有し、前記第１エンボスフィルムは、少なくとも表面に前記万線状溝の模様が形成された透明樹脂の第一層と、前記第一層の上に積層された透明樹脂の第二層とが一体的に積層された積層体によって形成され、前記万線状溝の模様は、前記積層体の前記第一層と前記第二層との間の空隙により構成されていることを特徴とする請求項１に記載の透明多層反射フィルムを提供する。
【００１５】
請求項３に記載の発明では、前記積層体は、前記第一層と前記第二層とが同一材料で形成され、前記第一層の前記万線状溝の溝深さよりも前記第二層の厚さの方が小さく設定され、かつ前記第一層の上面と前記第二層の下面との接合部が溶融状態で接合されて一体化され、前記第一層と前記第二層との接合時の成形温度は、前記第一層よりも前記第二層の温度が高い温度で成形されていることを特徴とする請求項２に記載の透明多層反射フィルムを提供する。
【００１６】
請求項４に記載の発明では、前記第二層は、前記第一層との接合面と反対側の面に同一材料で形成された表面層がさらに接合され、前記表面層の表面に前記平滑面が形成されていることを特徴とする請求項３に記載の透明多層反射フィルムを提供する。
【００１７】
請求項５に記載の発明では、前記透明樹脂は、オレフィン系樹脂、ポリカーボネイト樹脂、ＭＳ樹脂、アクリル系樹脂、ポリスチレン系樹脂のうちのいずれかである請求項１〜４のいずれかに記載の透明多層反射フィルムを提供する。
【００１８】
請求項６に記載の発明では、前記第２エンボスフィルムは、少なくとも表面に前記万線状溝の模様が形成された透明樹脂の第三層によって形成され、前記第２エンボスフィルムの前記万線状溝の模様の成形面が前記第一層の下面と溶融状態で接合されて一体化されていることを特徴とする請求項２に記載の透明多層反射フィルムを提供する。
【００１９】
請求項７に記載の発明では、前記積層フィルムは、前記第２エンボスフィルムの前記万線状溝の模様が前記第１エンボスフィルムの前記万線状溝の模様と非対応に配置されていることを特徴とする請求項２に記載の透明多層反射フィルムを提供する。
【００２０】
請求項８に記載の発明では、任意の絵柄のデザイン模様が印刷された基材シート上に、請求項１に記載の透明多層反射フィルムが積層されて形成されていることを特徴とするデザインシートを提供する。
【００２１】
請求項９に記載の発明では、前記デザイン模様は、木目であることを特徴とする請求項８に記載のデザインシートを提供する。
【００２２】
請求項１０に記載の発明では、同種の透明樹脂を高温状態と低温状態とした一種二層で溶融押出成形する際に、低温状態の第１の透明樹脂を用いて平面視形状が平行線群、曲線群、又はそれらを組合せた万線状溝の模様の賦形を行い透明樹脂の第一層を成形し、高温状態側の第２の透明樹脂の第二層を前記第一層の前記万線状溝の成形面側に積層することで、表面に平滑面が形成された透明樹脂の第二層と前記第一層とが一体的に積層された積層体を成形し、低温状態の第１の透明樹脂を用いて前記万線状溝の模様の賦形を行い透明樹脂の第一層を成形する工程と、高温状態側の第２の透明樹脂の第二層を前記第一層の前記万線状溝の模様面に積層する工程とを繰り返すことで、多層化され、その最表面に平坦面を成形して成ることを特徴とする透明多層反射フィルムの製造方法を提供する。
【００２３】
請求項１１に記載の発明では、任意の絵柄のデザイン模様が印刷された基材シート上に、請求項１の透明多層反射フィルムが熱圧着によって積層状態で接合されるデザインシートを成形することを特徴とするデザインシートの製造方法を提供する。
【００２４】
請求項１２に記載の発明では、任意の絵柄のデザイン模様が印刷された基材シート上に、請求項２の透明多層反射フィルムの前記透明反射フィルム本体の前記第一層を積層した第１積層体を成形する第１の積層工程と、前記第１積層体の前記第一層の前記万線状溝の上側に前記第二層を一体的に積層した第２積層体を成形する第２の積層工程とを有し、前記第２の積層工程時に前記第一層の前記万線状溝の溝深さよりも前記第二層の厚さの方が小さく設定され、かつ前記第一層と前記第二層との接合時の成形温度は、前記第一層よりも前記第二層の温度が高い温度で成形されて前記第一層の上面と前記第二層の下面との接合部が溶融状態で接合されて一体化され、さらに、前記透明反射フィルム本体の前記第一層を成形する第一層成形工程と、前記第二層を前記第一層の前記万線状溝の成形面側に積層する第二層成形工程とを繰り返すことで多層化する多層化工程とを具備することを特徴とするデザインシートの製造方法を提供する。
【発明の効果】
【００２５】
本発明によれば、内部中に空隙層を設けたシートで、その空隙の形状などで反射光の方向を制御し、かつフィルム内部に空隙層を多層に設けたシートを反射フィルムとして用いることで、その空隙の形状により生じる反射光により、「照り感」や「モアレ」などの表現を実現することができ、フィルム内部における光反射効果により、照り感など独特の風合いを持たせることができ、多彩な表現力などを得ることができる透明多層反射フィルムとその製造方法を提供することができる。
【図面の簡単な説明】
【００２６】
【図１】本発明の第１の実施の形態の透明二層反射フィルムの概略構成を示す縦断面図。
【図２】第１の実施の形態の透明二層反射フィルムにおける透明反射フィルム本体の透明樹脂中の万線状溝模様の空隙部分を示す要部の断面斜視図。
【図３】第１の実施の形態の透明二層反射フィルムの万線状溝模様の一例を示す要部の平面図。
【図４】第１の実施の形態の透明二層反射フィルムの製造装置における万線状溝模様の透明反射フィルム本体の第１の積層工程を示す概略構成図。
【図５】第１の実施の形態の透明二層反射フィルムの製造装置における第１の積層工程の成形ロールと第１積層体との分離状態を説明する要部の縦断面図。
【図６】第１の実施の形態の透明二層反射フィルムの製造装置における万線状溝模様の透明二層反射フィルム本体の第２の積層工程を示す概略構成図。
【図７】第１の実施の形態の透明二層反射フィルムの製造装置における第２の積層工程の成形ロールと第２積層体との分離状態を説明する要部の縦断面図。
【図８】第１の実施の形態の透明二層反射フィルムの製造装置における万線状溝模様の透明反射フィルム本体の第３の積層工程を示す概略構成図。
【図９】第１の実施の形態の透明多層反射フィルムの製造装置における第３の積層工程の成形ロールと第３積層体との分離状態を説明する要部の縦断面図。
【図１０】第１の実施の形態の透明二層反射フィルムの透明反射フィルムに入射した光の反射状態を説明するための説明図。
【図１１】本発明の第２の実施の形態の透明二層反射フィルムの概略構成を示す要部の断面斜視図。
【図１２】本発明の第３の実施の形態の透明多層反射フィルムの概略構成を示す要部の断面斜視図。
【発明を実施するための形態】
【００２７】
本発明の実施の形態について図面を参照しながら詳しく説明する。図１は、本実施の形態のデザインシートの一例である木目シート１の概略構成を示す縦断面図である。本実施の形態の木目シート１は、任意の絵柄、例えば予め木目の絵柄（デザイン模様）が印刷された木目印刷シートである基材シート２の上に、透明多層反射フィルム（本実施の形態では、透明二層反射フィルム３の例を示す）が第１接着層Ｓ１を介して接着されて形成されている。なお、第１接着層Ｓ１は必須構造ではないが、現実的には基材シート２と透明二層反射フィルム３との接着力が不十分な場合が多いので、接着力確保のために第１接着層Ｓ１を適宜設けてもよい。また、木目シート１の厚さは、概５０μｍ〜３００μｍ、板状とする場合１〜５ｍｍが好適である。
【００２８】
透明二層反射フィルム３は、平面視形状が平行線群、曲線群、又はそれらを組合せた万線状溝の模様が透明樹脂中の空隙により形成された透明反射フィルムのエンボスフィルムを二段に積層した積層フィルム４を有する。ここでは、積層フィルム４を構成する二段のエンボスフィルムの一方を第１エンボスフィルム４Ａ、他方を第２エンボスフィルム４Ｂと称する。
【００２９】
第１エンボスフィルム４Ａは、表面に平面視形状が平行線群、曲線群、又はそれらを組合せた第１万線状溝６Ａの模様（図３参照）が形成された透明樹脂フィルムによって形成されている。この第１エンボスフィルム４Ａの上に、第２エンボスフィルム４Ｂが第２接着層Ｓ２を介して接着されて形成されている。そして、第１万線状溝６Ａの模様は、第１エンボスフィルム４Ａの表面と第２エンボスフィルム４Ｂの下面の第２接着層Ｓとの間の空隙により構成されていている。なお、第２接着層Ｓ２は必須構造ではないが、現実的には第１エンボスフィルム４Ａと第２エンボスフィルム４Ｂとの接着力が不十分な場合が多いので、接着力確保のために第２接着層Ｓ２を適宜設けてもよい。
【００３０】
第２エンボスフィルム４Ｂは、少なくとも第一層７と第二層８とが一体的に積層された積層体によって形成されている。本実施の形態では、第一層７は、第１エンボスフィルム４Ａの表面の第１万線状溝６Ａの模様と同じ万線状模様の第２万線状溝６Ｂが形成された透明樹脂の第１エンボス層によって形成されている。第二層８は、透明樹脂の第２エンボス層８ａと、表面層８ｂとを積層した構成を有する。第２エンボス層８ａは、第一層７の上に積層され、第一層７との接合面と反対側の面に同一材料で形成された表面層８ｂがさらに接合され、表面層８ｂの表面に平滑面８ｃが形成されている。図２に示すように第２万線状溝６Ｂの模様は、積層体の第一層７と第二層８との間の空隙により構成されていている。
【００３１】
ここで、透明二層反射フィルム３の積層体は、第１エンボスフィルム４Ａと、第２エンボスフィルム４Ｂの第一層７と第二層８とがそれぞれ同一材料の透明樹脂で形成されている。透明樹脂の材料としては、オレフィン系樹脂を用いることが可能で、具体的には、ＰＰ（ポリプロピレン）、ＰＥ（ポリエチレン）、塩化ビニールが挙げられる。これらは、易加工性と柔軟性を有しており、仕上がり品も風合いが良い。また、一般的な透明樹脂を用いた構成も可能である。その中でも、加工が比較的容易なプラスチック材料として、例えば、ポリカーボネイト樹脂、ＭＳ（メタクリルスチレン）樹脂などを用いれば耐衝撃性に優れた割れにくい特徴を持たせる事が出来、アクリル系樹脂やポリスチレン系樹脂を用いれば耐擦性に優れた特徴を得る事ができる。
【００３２】
また、透明二層反射フィルム３の第２エンボスフィルム４Ｂの積層体は、第一層７の第２万線状溝６Ｂの溝深さよりも第二層８の第２エンボス層８ａの厚さの方が小さく設定され、かつ第一層７の上面と第二層８の下面との接合部が溶融状態で接合されて一体化されている。さらに、第一層７と第二層８との接合時の成形温度は、第一層７よりも第二層８の温度が高い温度で成形されている。なお、図１の透明二層反射フィルム３の断面図では、便宜上、透明二層反射フィルム３の積層体の各層間を明示するために境界線を表示しているが、実際は各層間の接合部が溶融状態で接合されて一体化されている。そのため、透明二層反射フィルム３は、積層体の各層間の境界線は明示されない一体物である。
【００３３】
第１エンボスフィルム４Ａの第１万線状溝６Ａと、第２エンボスフィルム４Ｂの第２万線状溝６Ｂのパターンは、万線状の線幅が概１００μｍ程度、溝の深さが概３０μｍ程度に設定することが好適である。
【００３４】
本実施の形態の透明二層反射フィルム３の第２エンボスフィルム４Ｂの製造に際しては、第一層７の樹脂温度を低く、第二層８の第２エンボス層８ａの樹脂温度を高くする事で、コシなどのシートの成形性と、パターン転写性や融着性を得ることが出来る。樹脂種類にも拠るが、フローマークの生じない範囲で温度差を設ければよく、ＰＥ（例えば日本ポリエチレン製ＬＣ６００Ａ）やＰＭＭＡ（例えば三菱レイヨン製ＶＨ０００）などでは概ね１０℃〜２０℃程度の温度差を付ける事が出来る。
【００３５】
本実施の形態の透明二層反射フィルム３の製造方法として、生産性に優れたＴダイによる多層押出法を用いた場合について説明する。Ｔダイによる多層押出法とは、異種の樹脂をそれぞれ溶融して吐出させる複数の押出機をフィードブロックに接続し、フィードブロック内で合流多層化してＴダイから多層樹脂膜として吐出し、冷却ロールで樹脂を冷却しながらシーティングを行う方式である。
【００３６】
この多層押出しを行う際には、フローマークの発生を防ぐ事が重要であるが、一般には、各層の樹脂の、Ｔダイ吐出後の流速を揃えることで行う。本実施の形態においては、各層で同一樹脂を使用するが、温度を変えて粘度を変えるため、Ｔダイ内で多層化される樹脂の温度差を、フローマークが発生しない吐出条件温度とし、フローマークの無い良好な樹脂膜を得ればよい。
【００３７】
本実施の形態の木目シート１の製造装置１１は、３つのシート成形装置（第１のシート成形装置１２ａ（図４参照）と、第２のシート成形装置１２ｂ（図６参照）と、第３のシート成形装置１２ｃ（図８参照））を有する。第１のシート成形装置１２ａは、木目シート１の製造工程の第１の積層工程として、木目の絵柄（デザイン模様）が印刷された基材シート２の上に、第１エンボスフィルム４Ａを積層した第１積層体２８Ａを形成する工程を行う成形装置である。第２のシート成形装置１２ｂは、木目シート１の製造工程の第２の積層工程として、第１積層体２８Ａの上に第２エンボスフィルム４Ｂの第一層７を積層した第２積層体２８Ｂを形成する工程を行う成形装置である。第３のシート成形装置１２ｃは、木目シート１の製造工程の第３の積層工程として、第２積層体２８Ｂの上に第２エンボスフィルム４Ｂの第二層８を積層した最終の成形品５９を形成する工程を行う成形装置である。
【００３８】
第１のシート成形装置１２ａは、図４に示すように２つの押出機（第１押出機１３と、第２押出機１４）と、Ｔダイ１５と、引取り機の３つの冷却ロール（第１冷却ロール１６と、第２冷却ロール１７と、第３冷却ロール１８）と、基材シート２の供給ロール１９とを有する。
【００３９】
第１押出機１３には、第１エンボスフィルム４Ａを構成する透明樹脂材料である第１の樹脂材料のペレットが供給される。そして、この第１押出機１３内で樹脂材料のペレットが溶融された状態で、第１の溶融樹脂材料が供給路２０を介してＴダイ１５に供給される。また、第２押出機１４は、木目印刷シートである基材シート２と接着を行なう第２の樹脂材料（第１接着層Ｓ１）のペレットが供給される。そして、この第２押出機１４内で樹脂材料のペレットが溶融された状態で、第２の溶融樹脂材料が供給路２１を介してＴダイ１５に供給される。
【００４０】
Ｔダイ１５は、２つの溶融樹脂供給口（第１供給口２２と第２供給口２３）と、１つの吐出口２４とを有する。そして、第１供給口２２には、第１の溶融樹脂材料の供給路２０が連結され、第１押出機１３から第１の溶融樹脂材料が供給される。また、第２供給口２３には、第２の溶融樹脂材料の供給路２１が連結され、第２押出機１４から第２の溶融樹脂材料が供給される。
【００４１】
Ｔダイ１５の内部には、第１の溶融樹脂材料のシート（第１のシート２５）と第２の溶融樹脂材料のシート（第２のシート２６）とを合流して積層させる合流部が設けられている。このＴダイ１５の内部の合流部で積層された第１のシート２５と第２のシート２６との積層体のシート（第１の積層体シート２７）は、Ｔダイ１５の吐出口２４からシート状に吐出される。ここで、Ｔダイ１５から吐出される樹脂（第１の積層体シート２７）は、２つの押出機（第１押出機１３と、第２押出機１４）の回転数、温度条件などを調整し、適切な層比、厚みをコントロールできる。なお、Ｔダイ１５の上流部分に設けられるフィードブロック（図示せず）などで第１のシート２５と第２のシート２６とを合流、多層化を行っても良い。
【００４２】
引取り機の３つの冷却ロール（第１冷却ロール１６と、第２冷却ロール１７と、第３冷却ロール１８）は、並設されている。第１冷却ロール１６と第３冷却ロール１８とは、円筒状の加圧ローラである。第２冷却ロール１７は、第１冷却ロール１６と第３冷却ロール１８との間に配置され、外周面に透明樹脂の第１エンボスフィルム４Ａの第１万線状溝６Ａの凹凸模様と逆凹凸のエンボスパターン１７ａが刻設されている。エンボスパターン１７ａは、照り光を感じるように第１万線状溝６Ａの凹凸模様の形状を適宜調整し、エンボス版として加工できる範囲で模様柄を構成すれば良い。
【００４３】
第２冷却ロール１７は、例えば鉄芯上に銅メッキを施して、その銅の層を彫刻、たとえばダイヤモンドバイトによる切削加工、砥石による研削加工、選択的に腐食を施すエッチング加工や、その他多くの既存のパターンニング技術を用いてエンボスパターン１７ａを製作することができる。さらに、銅メッキ上に、クロムメッキを施すことで、表面硬度の向上による銅層の保護を図ることが可能となる。このほかにも金属や、セラミックをシリンダー表面に溶射、研磨を施して耐久性の高いロールを使用したり、ニッケル表面に形状を刻んだロール等を用いても良い。
【００４４】
第１冷却ロール１６と、第２冷却ロール１７との間には、供給ロール１９から繰り出される基材シート２と、Ｔダイ１５の吐出口２４からシート状に吐出される第１の積層体シート２７とが同時に導入される。このとき、引取り機に到達した第１の積層体シート２７の溶融樹脂は、第１冷却ロール１６と、第２冷却ロール１７との間で基材シート２と一緒に挟み込むが、その際に、第１の積層体シート２７の第１のシート２５が第２冷却ロール１７に密着するようにロール温度、トルク、挟圧を調整する。これにより、第１冷却ロール１６と、第２冷却ロール１７との間を通過する際に、図５に示すように第２冷却ロール１７のエンボスパターン１７ａの形状が第１の積層体シート２７の第１のシート２５に転写される。このとき、同時に、基材シート２の上に、第１の積層体シート２７の第１のシート２５が第２のシート２６を介して積層される状態で接着され、第１積層体２８Ａが成形される。
【００４５】
続いて、第１積層体２８Ａは、第２冷却ロール１７と第３冷却ロール１８との間を通過する。このとき、第２冷却ロール１７と第３冷却ロール１８とで除熱を行い、冷却ロール１７、１８の温度差や、張力等を用いて第１積層体２８Ａの反りを矯正しながらシーティングを行い、更に下流部分で巻き取ることで、透明二層反射フィルム３の第１エンボスフィルム４Ａと、基材シート２とが一体に接着された木目シート１の第１積層体２８Ａを得ることができる。
【００４６】
第２のシート成形装置１２ｂは、図６に示すように２つの押出機（第３押出機２９と、第４押出機３０）と、Ｔダイ３１と、引取り機の３つの冷却ロール（第４冷却ロール３２と、第５冷却ロール３３と、第６冷却ロール３４）と、第１積層体２８Ａの供給ロール３５とを有する。供給ロール３５には、第１のシート成形装置１２ａで形成された第１積層体２８Ａが巻装されている。
【００４７】
第３押出機２９には、透明二層反射フィルム３の第２エンボスフィルム４Ｂの第一層７を構成する透明樹脂材料である第３の樹脂材料のペレットが供給される。そして、この第３押出機２９内で樹脂材料のペレットが溶融された状態で、第３の溶融樹脂材料が供給路３６を介してＴダイ３１に供給される。また、第４押出機３０は、第２接着層Ｓ２を構成する透明樹脂材料である第４の樹脂材料のペレットが供給される。そして、この第４押出機３０内で樹脂材料のペレットが溶融された状態で、第４の溶融樹脂材料が供給路３７を介してＴダイ３１に供給される。
【００４８】
Ｔダイ３１は、２つの溶融樹脂供給口（第３供給口３８と第４供給口３９）と、１つの吐出口４０とを有する。そして、第３供給口３８には、第３の溶融樹脂材料の供給路３６が連結され、第３押出機２９から第３の溶融樹脂材料が供給される。また、第４供給口３９には、第４の溶融樹脂材料の供給路３７が連結され、第４押出機３０から第４の溶融樹脂材料が供給される。
【００４９】
Ｔダイ３１の内部には、第３の溶融樹脂材料のシート（第３のシート４１）と第４の溶融樹脂材料のシート（第４のシート４２）とを合流して積層させる合流部が設けられている。このＴダイ３１の内部の合流部で積層された第３のシート４１と第４のシート４２との積層体のシート（第２の積層体シート４３）は、Ｔダイ３１の吐出口４０からシート状に吐出される。ここで、Ｔダイ３１から吐出される樹脂（第２の積層体シート４３）は、２つの押出機（第３押出機２９と、第４押出機３０）の回転数、温度条件などを調整し、適切な層比、厚みをコントロールできる。なお、Ｔダイ３１の上流部分に設けられるフィードブロック（図示せず）などで第３のシート４１と第４のシート４２とを合流、多層化を行っても良い。
【００５０】
引取り機の３つの冷却ロール（第４冷却ロール３２と、第５冷却ロール３３と、第６冷却ロール３４）は、並設されている。第４冷却ロール３２と第６冷却ロール３４とは、円筒状の加圧ローラである。第５冷却ロール３３は、第４冷却ロール３２と第６冷却ロール３４との間に配置されている。この第５冷却ロール３３は、外周面に透明樹脂の第２エンボスフィルム４Ｂの第２万線状溝６Ｂの凹凸模様と逆凹凸のエンボスパターン３３ａが刻設されている。エンボスパターン３３ａは、照り光を感じるように第２万線状溝６Ｂの凹凸模様の形状を適宜調整し、エンボス版として加工できる範囲で模様柄を構成すれば良い。
【００５１】
第４冷却ロール３２と、第５冷却ロール３３との間には、供給ロール３５から繰り出される第１積層体２８Ａと、Ｔダイ３１の吐出口４０からシート状に吐出される第２の積層体シート４３とが同時に導入される。このとき、引取り機に到達した第２の積層体シート４３の溶融樹脂は、第４冷却ロール３２と、第５冷却ロール３３との間で第１積層体２８Ａと一緒に挟み込む。その際に、設定の限度は、樹脂種類や樹脂の吐出量、層厚みなどにより異なるが、成形品にフローマークが発生せず、かつ、第１積層体２８Ａの第１のシート２５と、第２の積層体シート４３の第４のシート４２（第２接着層Ｓ２）との間に第１万線状溝６Ａの模様の空隙が維持できる条件とすれば良い。これにより、第２の積層体シート４３と第１積層体２８Ａとが積層される。このとき、第１の積層体シート２７の第１のシート２５の上面と、第２の積層体シート４３の第４のシート４２（第２接着層Ｓ２）の下面との接合部が溶融状態で接合されて一体化される。これにより、第１積層体２８Ａの上に、第２の積層体シート４３の第３のシート４１が第２接着層Ｓ２を介して積層された第２積層体２８Ｂが形成される。そして、第１積層体２８Ａの第１のシート２５と、第２の積層体シート４３の第４のシート４２（第２接着層Ｓ２）との間の空隙により第１万線状溝６Ａの模様が構成されていている。
【００５２】
さらに、第２の積層体シート４３の第３のシート４１が第５冷却ロール３３に密着するようにロール温度、トルク、挟圧を調整する。これにより、第４冷却ロール３２と、第５冷却ロール３３との間を通過する際に、図７に示すように第５冷却ロール３３のエンボスパターン３３ａの形状が第２の積層体シート４３の第３のシート４１に転写される。
【００５３】
続いて、第５冷却ロール３３と第６冷却ロール３４とで除熱を行う。このとき、冷却ロールの温度差や、張力等を用いてシートの反りを矯正しながらシーティングを行い、更に下流部分で巻き取ることで、木目シート１の第２積層体２８Ｂを得ることができる。
【００５４】
第３のシート成形装置１２ｃは、図８に示すように２つの押出機（第５押出機４４と、第６押出機４５）と、Ｔダイ４６と、引取り機の３つの冷却ロール（第７冷却ロール４７と、第８冷却ロール４８と、第９冷却ロール４９）と、第２積層体２８Ｂの供給ロール５０とを有する。供給ロール５０には、第２のシート成形装置１２ｂで形成された第２積層体２８Ｂが巻装されている。
【００５５】
第５押出機４４には、透明二層反射フィルム３の第２エンボスフィルム４Ｂの第二層８の表面層８ｂを構成する透明樹脂材料である第５の樹脂材料のペレットが供給される。そして、この第５押出機４４内で樹脂材料のペレットが溶融された状態で、第５の溶融樹脂材料が供給路５１を介してＴダイ４６に供給される。また、第６押出機４５は、透明二層反射フィルム３の第二層８の第２エンボス層８ａを構成する透明樹脂材料である第６の樹脂材料のペレットが供給される。そして、この第６押出機４５内で樹脂材料のペレットが溶融された状態で、第６の溶融樹脂材料が供給路５２を介してＴダイ４６に供給される。
【００５６】
Ｔダイ４６は、２つの溶融樹脂供給口（第５供給口５３と第６供給口５４）と、１つの吐出口５５とを有する。そして、第５供給口５３には、第５の溶融樹脂材料の供給路５１が連結され、第５押出機４４から第５の溶融樹脂材料が供給される。また、第６供給口５４には、第６の溶融樹脂材料の供給路５２が連結され、第６押出機４５から第６の溶融樹脂材料が供給される。
【００５７】
Ｔダイ４６の内部には、第５の溶融樹脂材料のシート（第５のシート５６）と第６の溶融樹脂材料のシート（第６のシート５７）とを合流して積層させる合流部が設けられている。このＴダイ４６の内部の合流部で積層された第５のシート５６と第６のシート５７との積層体のシート（第３の積層体シート５８）は、Ｔダイ４６の吐出口５５からシート状に吐出される。ここで、Ｔダイ４６から吐出される樹脂（第３の積層体シート５８）は、２つの押出機（第５押出機４４と、第５押出機４５）の回転数、温度条件などを調整し、適切な層比、厚みをコントロールできる。例えば、第２エンボス層８ａの樹脂温度を高く、表面層８ｂの樹脂温度を低く設定する。なお、Ｔダイ４６の上流部分に設けられるフィードブロック（図示せず）などで第５のシート５６と第６のシート５７とを合流、多層化を行っても良い。
【００５８】
引取り機の３つの冷却ロール（第７冷却ロール４７と、第８冷却ロール４８と、第９冷却ロール４９）は、並設されている。第７冷却ロール４７と第９冷却ロール４９とは、円筒状の加圧ローラである。第８冷却ロール４８は、第７冷却ロール４７と第９冷却ロール４９との間に配置されている。この第８冷却ロール４８は、外周面が鏡面状に成形され、ミラーロールが形成されている。
【００５９】
第７冷却ロール４７と、第８冷却ロール４８との間には、供給ロール５０から繰り出される第２積層体２８Ｂと、Ｔダイ４６の吐出口５５からシート状に吐出される第３の積層体シート５８とが同時に導入される。このとき、引取り機に到達した第３の積層体シート５８の溶融樹脂は、第７冷却ロール４７と、第８冷却ロール４８との間で第２積層体２８Ｂと一緒に挟み込む。その際に、設定の限度は、樹脂種類や樹脂の吐出量、層厚みなどにより異なるが、成形品にフローマークが発生せず、かつ、第２積層体２８Ｂの第１エンボス層の第一層７と、第３の積層体シート５８の第６のシート５７（第２エンボス層８ａ）との間に第２万線状溝６Ｂの模様の空隙が維持できる条件とすれば良い。これにより、第３の積層体シート５８と第２積層体２８Ｂとが積層される。このとき、第２積層体２８Ｂの第一層７の上面と、第３の積層体シート５８の第６のシート５７（第２エンボス層８ａ）の下面との接合部が溶融状態で接合されて一体化される。これにより、第２積層体２８Ｂの第一層７の上面と、第３の積層体シート５８の第６のシート５７（第２エンボス層８ａ）の下面との間の空隙により第２万線状溝６Ｂの模様が構成されている。
【００６０】
さらに、第３の積層体シート５８の第５のシート５６が第８冷却ロール４８に密着するようにロール温度、トルク、挟圧を調整する。このとき、第５のシート５６が第８冷却ロール４８のミラーロールに密着する事で、第３の積層体シート５８の第５のシート５６の表面に平滑面８ｃを転写させることが出来る。
【００６１】
続いて、第８冷却ロール４８と第９冷却ロール４９とで除熱を行う。このとき、冷却ロールの温度差や、張力等を用いてシートの反りを矯正しながらシーティングを行い、更に下流部分で巻き取ることで、木目シート１の成形品５９を得ることができる。
【００６２】
なお、木目シート１の成形品５９の各層への樹脂吐出量の比率は、フローマークや、形状転写に影響の無い樹脂温度が維持でき、フローマークが生じないように設定する。例えば、主層（第一層７の第１エンボス層）に粘度の高い樹脂を選定し、表層（表面層８ｂ）あるいは裏層（第２エンボス層８ａ）側を主層よりも樹脂粘度の低い樹脂として、フローマークが消える温度条件にて吐出することで木目シート１の成形品５９を作ることが好ましい。
【００６３】
上記構成の本実施の形態の木目シート１にあっては次の効果を奏する。すなわち、本実施の形態では、木目印刷シートである基材シート２の上に、透明二層反射フィルム３が第１接着層Ｓ１を介して接着されて形成されている。透明二層反射フィルム３は、第１万線状溝６Ａを有する第１エンボスフィルム４Ａと、第２万線状溝６Ｂを有する第２エンボスフィルム４Ｂとを重ね合わせた積層構造を有する。そして、第１エンボスフィルム４Ａの表面と第２エンボスフィルム４Ｂの下面の第２接着層Ｓとの間の空隙により第１万線状溝６Ａの模様が構成され、第２エンボスフィルム４Ｂの第２万線状溝６Ｂの模様は、積層体の第一層７と第二層８との間の空隙により構成されていている。さらに、透明二層反射フィルム３の表面には平滑面８ｃが形成されている。これにより、図１０中に矢印で示すように透明二層反射フィルム３の平滑面８ｃに斜め方向から入射した光は、透明二層反射フィルム３の内部で第２万線状溝６Ｂの模様の空隙部と、第１万線状溝６Ａの模様の空隙部との界面や、各空隙部間の壁部などで複雑に反射する反射光や、表面の平滑面８ｃで反射する反射光などが発生する。この場合、最表面の平滑面８ｃで反射する反射光Ｌ１によって木目シート１のグロス感を持たせることができる。さらに、透明二層反射フィルム３の内部で第２万線状溝６Ｂの模様の空隙部と、第１万線状溝６Ａの模様の空隙部との界面や、各空隙部間の壁部などで複雑に反射する反射光によって充分な照り効果が得られる。また、図１０中に点線矢印で示す反射光によってモアレが生じる。
【００６４】
このモアレは、第１万線状溝６Ａおよび第２万線状溝６Ｂやその絵柄模様の持つ繰返し構造の周期（逆数を取って空間周波数とすることもある）が、多層化する層同士の間で（ｎ＋０．１）倍（ｎは整数）となる場合に、強いモアレを生じる。また、ｎｘ√２倍とするとモアレは弱くなる。このモアレの強弱を用いることで、印刷等では表現できない絵柄を構成することが可能となり、照り感などの表現が可能となる。したがって、本実施の形態の木目シート１では、透明二層反射フィルム３の内部に空隙部を設け、その空隙部の形状などで反射光の方向を制御し、木目印刷シートである基材シート２の上に、内部に空隙部を多層に設けた透明二層反射フィルム３を積層することで、その空隙部の形状により生じる反射光により、「照り感」や「モアレ」などの表現を実現することができ、透明二層反射フィルム３の内部における光反射効果により、照り感など独特の風合いを持たせることができ、多彩な表現力などを得ることができる。
【００６５】
また、第２エンボスフィルム４Ｂの第一層７の第１エンボス層と、第二層８の第２エンボス層８ａと、表面層８ｂとは全て同一の透明樹脂で構成され、各層間の接合部が溶融状態で接合されている。同様に、第１エンボスフィルム４Ａ、第２接着層Ｓ２も同一の透明樹脂で構成され、各層間の接合部が溶融状態で接合されている。そのため、各層間の接合面では屈折率差を生じないので、各層間の境界面での光線の屈折は生じない。そして、第１エンボスフィルム４Ａの表面と第２エンボスフィルム４Ｂの下面の第２接着層Ｓとの間に第１万線状溝６Ａの模様の空隙部が封じ込められ、かつ第一層７の第１エンボス層と、第二層８の第２エンボス層８ａとの間に第２万線状溝６Ｂの模様の空隙部が封じ込められた構造を有している。そのため、本実施の形態の木目シート１の第１万線状溝６Ａと、第２万線状溝６Ｂの模様の溝構造の光反射による照り光の効果は、第１万線状溝６Ａと、第２万線状溝６Ｂの模様の空隙部と透明樹脂層の屈折率差により生起されるので、この部分で強い反射光を発生させ、照り感の向上を図ることができる。
【００６６】
また、本実施の形態では、第２エンボスフィルム４Ｂの第一層７は、平面視形状が平行線群、曲線群、又はそれらを組合せた第２万線状溝６Ｂの模様（図３参照）が形成された透明樹脂の第１エンボス層によって形成されている。第二層８は、透明樹脂の第２エンボス層８ａと、表面層８ｂとを積層した構成を有する。第２エンボス層８ａは、第一層７の上に積層され、第一層７との接合面と反対側の面に同一材料で形成された表面層８ｂがさらに接合され、表面層８ｂの表面に平滑面８ｃが形成されている。図２に示すように第２万線状溝６Ｂの模様は、積層体の第一層７と第二層８との間の空隙により構成されていている。
【００６７】
これにより、表面層８ｂの最外面は平滑面８ｃとすることで、グロス感を得ることができる。また、表面層８ｂの最外面が平坦な平滑面８ｃとなっていることで、表面処理を容易に施すことが可能となる。これにより、表面層８ｂの平滑面８ｃにハードコートや、帯電防止などの最表面処理も行いやすい。マット加工などの表面の装飾との組合せも可能である。
【００６８】
また、第一層７の第１エンボス層と、第二層８の第２エンボス層８ａとの間に第２万線状溝６Ｂの模様の空隙の空気部を内包させているので、第２万線状溝６Ｂの模様が表面層８ｂの最外面に露出することはない。これにより、表面層８ｂを平滑面８ｃとすることが出来るので、グロス感を損なうことがなく、反射グロス感との共存ができる。
【００６９】
また、第１万線状溝６Ａや第２万線状溝６Ｂの模様の空隙の溝構造のパターンニングについては、従来のエンボス版での製造プロセスを使用できるので、容易に実現可能であり、低原価を得るには望ましい。さらに、第１万線状溝６Ａや第２万線状溝６Ｂの模様の空隙の溝構造を閉空間とする木目シート１の製造装置１１も、１種二層の押出機が使用できれば良く、使用する樹脂もこれまでと同等である。また、木目印刷シート上に直接押出成形を行なうことで、木目シート１を得ることが出来る。この木目シート１も、グロス感を損なわず、ハードコートや帯電防止などの最表面処理も行いやすい。
【００７０】
更に、樹脂を環状オレフィン樹脂とする事で、賦形成形を容易にしつつ、優れた風合いの木目シート１を得ることができる。
【００７１】
したがって、本実施の形態によれば、木目シート１の最表面にグロス感を持たせつつ、充分な照り効果が得られる透明二層反射フィルム３により、木目シート１などを得る透明反射フィルムとデザインシートとこれらの製造方法を提供することができる。
【００７２】
また、本実施の形態の透明二層反射フィルム３では、第１エンボスフィルム４Ａの第１万線状溝６Ａの溝形状と、第２エンボスフィルム４Ｂの第２万線状溝６Ｂの溝形状とを適宜組み合せることで、「モアレ柄」での表現が可能となる。さらに、透明な繊維状のパターンを多層化して成形することで、自然な木材に近い複雑な照りを再現できる。
【００７３】
図１１は、本発明の第２の実施の形態の透明二層反射フィルム６１を示す。なお、図１１中で、第１の実施の形態（図１乃至図１０参照）と同一部分には同一の符号を付してその説明を省略する。本実施の形態の透明二層反射フィルム６１は、第１エンボスフィルム４Ａの第１万線状溝６Ａの溝形状の向きと、第２エンボスフィルム４Ｂの第２万線状溝６Ｂの溝形状の向きとをほぼ直交する状態に配置したものである。なお、第１エンボスフィルム４Ａの第１万線状溝６Ａの溝形状の向きと、第２エンボスフィルム４Ｂの第２万線状溝６Ｂの溝形状の向きの交差角度は、必ずしも正確に９０°である必要はなく、任意の交差角度に設定してもよい。
【００７４】
本実施の形態の透明二層反射フィルム６１によれば、透明二層反射フィルム６１の平滑面８ｃに斜め方向から入射した光は、透明二層反射フィルム６１の内部で第２万線状溝６Ｂの模様の空隙部と、第１万線状溝６Ａの模様の空隙部との界面や、各空隙部間の壁部などで複雑に反射する反射光や、表面の平滑面８ｃで反射する反射光などが発生する。このとき、第２万線状溝６Ｂの模様の空隙部と、第１万線状溝６Ａの模様の空隙部との界面や、各空隙部間の壁部などで複雑に反射する反射光は、第１エンボスフィルム４Ａの第１万線状溝６Ａの溝形状の向きと、第２エンボスフィルム４Ｂの第２万線状溝６Ｂの溝形状の向きが同じ方向に向けて揃えた場合に比べてさらに複雑化する。そのため、本実施の形態の透明二層反射フィルム６１を木目印刷シートである基材シート２と組み合わせて木目シート１を形成した場合に第１万線状溝６Ａと、第２万線状溝６Ｂの模様の溝構造の光反射による「照り感」や「モアレ」などの表現の効果をさらに高めることができる。
【００７５】
図１２は、本発明の第３の実施の形態の透明多層反射フィルム７１を示す。なお、図１２中で、第１の実施の形態（図１乃至図１０参照）と同一部分には同一の符号を付してその説明を省略する。本実施の形態の透明多層反射フィルム７１は、万線状溝の模様が透明樹脂中の空隙により形成された透明反射フィルムのエンボスフィルムを三段に積層した積層フィルム７２を設けたものである。ここでは、積層フィルム４を構成する三段のエンボスフィルムの一段目を第１エンボスフィルム７３Ａ、二段目を第２エンボスフィルム７３Ｂ、三段目を第３エンボスフィルム７３Ｃと称する。
【００７６】
第１エンボスフィルム７３Ａは、積層フィルム４の最下段に配置されており、この第１エンボスフィルム７３Ａの表面に平面視形状が平行線群、曲線群、又はそれらを組合せた第１万線状溝７４Ａの模様が形成された透明樹脂フィルムによって形成されている。この第１エンボスフィルム７３Ａの上に、第２エンボスフィルム７３Ｂが接着層を介して接着されて形成されている。そして、第１万線状溝７４Ａの模様は、第１エンボスフィルム７３Ａの表面と第２エンボスフィルム７３Ｂの下面との間の空隙により構成されていている。
【００７７】
第２エンボスフィルム７３Ｂは、積層フィルム４の中段に配置されており、この第２エンボスフィルム７３Ｂの表面に平面視形状が平行線群、曲線群、又はそれらを組合せた第２万線状溝７４Ｂの模様が形成された透明樹脂フィルムによって形成されている。この第２エンボスフィルム７３Ｂの上に、第３エンボスフィルム７３Ｃが接着層を介して接着されて形成されている。そして、第２万線状溝７４Ｂの模様は、第２エンボスフィルム７３Ｂの表面と第３エンボスフィルム７３Ｃの下面との間の空隙により構成されていている。
【００７８】
第３エンボスフィルム７３Ｃは、積層フィルム４の最上段に配置されている。この第３エンボスフィルム７３Ｃは、少なくとも第一層７と第二層８とが一体的に積層された積層体によって形成されている。本実施の形態では、第一層７は、第１エンボスフィルム７３Ａの表面の第１万線状溝７４Ａの模様と同じ万線状模様の第３万線状溝７４Ｃが形成された透明樹脂の第１エンボス層によって形成されている。第二層８は、透明樹脂の第２エンボス層８ａと、表面層８ｂとを積層した構成を有する。第２エンボス層８ａは、第一層７の上に積層され、第一層７との接合面と反対側の面に同一材料で形成された表面層８ｂがさらに接合され、表面層８ｂの表面に平滑面８ｃが形成されている。図１２に示すように第３万線状溝７４Ｃの模様は、積層体の第一層７と第二層８との間の空隙により構成されていている。
【００７９】
また、本実施の形態では、第１エンボスフィルム７３Ａの第１万線状溝７４Ａの溝形状の向きと、第３エンボスフィルム７３Ｃの第３万線状溝７４Ｃの溝形状の向きが同じ方向に向けて揃えて配置されている。なお、第１エンボスフィルム７３Ａの第１万線状溝７４Ａの溝形状の向きと、第２エンボスフィルム７３Ｂの第２万線状溝７４Ｂの溝形状の向きは、必ずしも正確に同じ方向に向けて揃えて配置する必要はなく、任意の交差角度に設定してもよい。
【００８０】
第２エンボスフィルム７３Ｂの第２万線状溝７４Ｂの溝形状の向きは、第１エンボスフィルム４Ａの第１万線状溝６Ａの溝形状の向きとほぼ直交する状態に配置されている。なお、第１エンボスフィルム７３Ａの第１万線状溝７４Ａの溝形状の向きと、第２エンボスフィルム７３Ｂの第２万線状溝７４Ｂの溝形状の向きの交差角度は、必ずしも正確に９０°である必要はなく、任意の交差角度に設定してもよい。
【００８１】
本実施の形態の透明多層反射フィルム７１によれば、透明多層反射フィルム７１の平滑面８ｃに斜め方向から入射した光は、透明多層反射フィルム７１の内部で第３万線状溝７４Ｃの模様の空隙部と、第２万線状溝７４Ｂの模様の空隙部と、第１万線状溝７４Ａの模様の空隙部との界面や、各空隙部間の壁部などで複雑に反射する反射光や、表面の平滑面８ｃで反射する反射光などが発生する。このとき、第３万線状溝７４Ｃの模様の空隙部と、第２万線状溝７４Ｂの模様の空隙部と、第１万線状溝７４Ａの模様の空隙部との界面や、各空隙部間の壁部などで複雑に反射する反射光は、エンボスフィルムを二段に積層した第１の実施の形態や、第２の実施の形態の場合に比べてさらに複雑化する。そのため、本実施の形態の透明多層反射フィルム７１を木目印刷シートである基材シート２と組み合わせて木目シート１を形成した場合に第１万線状溝７４Ａと、第２万線状溝７４Ｂ、第３万線状溝７４Ｃの模様の溝構造の光反射による「照り感」や「モアレ」などの表現の効果をさらに高めることができる。
【実施例】
【００８２】
（実施例１）  
第２冷却ロール１７の版形状（エンボスパターン１７ａ）を構成する万線の単位を、線幅１４０μｍ、隣接するパターンとのピッチを２６０μｍ、溝の深さを３０μｍとして、半径２．６ｍｍ〜１２ｍｍ、円弧長１．０ｍｍ〜４．５ｍｍの範囲の円弧を繋げた形状として、製版を行なった。製版には上記形状を得ることが出来る、曲面状の断面を持つダイヤモンドバイトを用いて、第２冷却ロール１７上に設けた銅メッキに対して切削加工を行い、切削後Ｃｒメッキを施してエンボス版とした。第５冷却ロール３３の版形状（エンボスパターン３３ａ）も第２冷却ロール１７と同様に成形した。
【００８３】
基材シート２としては木目の印刷を施した厚さ７０μｍのポリプロピレン樹脂シートを用い、この上に透明なポリプロピレン樹脂を平均厚さ８０μｍにてエンボス加工を行い、第１エンボスフィルム４Ａを形成する。さらに、この上に透明なポリプロピレン樹脂を平均厚さ８０μｍにてエンボス加工を行い、第２エンボスフィルム４Ｂを形成し、同様に透明なポリプロピレン樹脂を平均８０μｍの厚さで表面層８ｂを形成する。
【００８４】
最後にその表面に、乾燥後の厚みが１ｇ／ｍ２となる程度にウレタンアクリレート樹脂をコートして表面保護層を形成し、木目シート１を得る。
【００８５】
出来上がった化粧シートは表面のグロス感を有したまま艶感を有しており、木目の表面よりリアルに木目を表現することができたものとなった。
【００８６】
（実施例２）  
実施例１と同様の版を用いて、ポリエチレン（日本ポリエチレン  ＬＣ６００Ａ）により同様の試作を行なった。樹脂温度は２４０℃で実施したところ、やや断面形状の崩れが生じるものの、第１万線状溝６Ａ、第２万線状溝６Ｂの模様の空隙層は確保されていた。
【００８７】
第２エンボス層８ａと表面層８ｂとの樹脂温度の温度差を２０℃としたところ、良好な結果が得られた。
【００８８】
エンボスパターン１７ａ、３３ａの空隙層では強い反射光を生じることから、樹脂層の厚みについては殆んど制約がない。このことは、木目シート１への他の要求項目に応じて適宜決定してよいことを示しており、使いやすい特性である。
【００８９】
また、エンボス版としては、切削版のみならず、エッチングなどを用いた、グラビア用の製版技術も用いることが出来るので、応用範囲が広い。
【００９０】
このように得られたシートを、所望の形状に断裁し、木目シート１を得ることが出来る。断裁には、薄手の場合にはスリッターが使用できるが、厚手の場合は丸鋸や、ランニングソー、レーザー断裁など、適宜選定し使用すればよい。
【００９１】
（実施例３）  
また、より高い効果を得るために、中心層にＭＩ値（メルトインデックス；流動性指数）が低い材料、すなわち硬い材料を用いることで、シート／フィルムの機械的強度を得ることができる。さらに、片面あるいは両面の表面部分に高ＭＩ値の樹脂を用いることで、良好なパターン転写性や融着性を得ることが出来る。
【００９２】
ＭＩ値の異なる樹脂を使用する場合には、Ｔダイ内で多層化される樹脂の温度を、各層毎に調整し、フローマークが発生しない吐出条件を決定する。フローマークは、流動性の高い樹脂同士が、それぞれに流速を持って他方と異なる流動性を持つために生じることから、中心層を硬く保ち、その表層に粘度の低い層を薄く沿わせるように吐出条件（温度や吐出量）することで、フローマークの無い良好な樹脂膜を得ることが出来る。
【００９３】
［ＰＭＭＡでの例］
異なる樹脂の選定を行う際には、表層あるいは裏層への形状転写性が最重要である。形状を転写する場合には、ＭＩ値が５．５〜２０の範囲（例えば三菱レイヨン製アクリル樹脂であれば、ＶＨ５，ＴＦ８，ＴＦ９などが該当する。）であれば、そのライン速度（型を押当てる時間）と樹脂に加える圧力のバランスが取れることから、プリズム形状の様なエッジを有するパターンの形状転写が可能となる。
【００９４】
樹脂シートの機械的強度をほぼ決定する、中心層のＭＩ値は、比較的低ＭＩ値の樹脂を選定する。具体的にはＭＩ値が０．８〜６の樹脂（例えば三菱レイヨン製アクリル樹脂であれば、ＶＨ４，ＶＨ５，ＭＤなどが該当する。）であれば、良好な機械的強度を得ることが出来る。
【００９５】
上記の範囲で様々な樹脂組合せを検討したところ、表層あるいは裏層のＭＩ値が１０未満の場合は、形状の転写性が不良となり、また、２０を超える場合には、中心部分のＭＩ値以下となる材料を選択できない。中心部分のＭＩ値が２未満では、フローマークが生じ、外観不良となってしまう。このフローマークは中心部分のＭＩ値が６を越えた場合にも生じる。
【００９６】
よって、実際に製作を行う際には、表層あるいは裏層のＭＩ値が１０〜２０の範囲、かつ中心部分のＭＩ値が２〜６の範囲であれば、充分な効果が得られる上に、生産性も良好である事が確認できた。
【００９７】
モアレについては、万線やその絵柄模様の持つ繰返し構造の周期（逆数を取って空間周波数とすることもある）が、多層化する層同士の間で（ｎ＋０．１）倍（ｎは整数）となる場合に、強いモアレを生じる。また、ｎｘ√２倍とするとモアレは弱くなる。このモアレの強弱を用いることで、印刷等では表現できない絵柄を構成することが可能となり、照り感などの表現が可能となる。
【００９８】
なお、本発明は上記実施の形態に限定されるものではない。例えば、図１の木目シート１から基材シート２と第１接着層Ｓ１を外した透明二層反射フィルム３の本体３ａを成形品として成形してもよい。また、上記実施の形態では、デザインシートとして、木目シート１の一例を示したが、これに限定されるものではなく、石や、図形などの任意の絵柄（デザイン模様）が印刷された印刷シートで基材シート２を構成してもよい。  
また、基材シート２に替えて照明装置を設ける構成にしてもよい。この場合は、照明装置からの照明光が透明二層反射フィルム３を透過して出射することで、フィルム内部における光反射効果により、照り感など独特の風合いを持たせることができ、さらに多彩な表現力などを得ることができる。さらに、その他、本発明の要旨を逸脱しない範囲で種々変形実施できることは勿論である。
【産業上の利用可能性】
【００９９】
本発明は、透明反射フィルムに最表面にグロス感を持たせつつ、充分な照り効果を得ることの両立を図ることで、例えば、包装用材料などの意匠向上に役立てることが出来る。また、木目シートとしてリアルな木目シートを提供し、建築部材や家具を含めたインテリアなどの分野に適用できる。
【符号の説明】
【０１００】
１…木目シート、２…基材シート、３…透明二層反射フィルム、３ａ…本体、４…積層フィルム、４Ａ…第１エンボスフィルム、４Ｂ…第２エンボスフィルム、Ｓ１…第１接着層、Ｓ２…第２接着層、６Ａ…第１万線状溝、６Ｂ…第２万線状溝、７…第一層、８…第二層、８ａ…エンボス層、８ｂ…表面層、８ｃ…平滑面、１１…木目シート製造装置、１２ａ…第１のシート成形装置、１２ｂ…第２のシート成形装置、１２ｃ…第３のシート成形装置、１３…第１押出機、１４…第２押出機、１５…Ｔダイ、１６…第１冷却ロール、１７…第２冷却ロール、１７ａ…エンボスパターン、１８…第３冷却ロール、１９…基材シートの供給ロール、２０…第１の溶融樹脂材料の供給路、２１…第２の溶融樹脂材料の供給路、２２…第１供給口、２３…第２供給口、２４…吐出口、２５…第１のシート、２６…第２のシート、２７…第１の積層体シート、２８Ａ…第１積層体、２８Ｂ…第２積層体、２９…第３押出機、３０…第４押出機、３１…Ｔダイ、３２…第４冷却ロール、３３…第５冷却ロール、３３ａ…エンボスパターン、３４…第６冷却ロール、３５…第１積層体の供給ロール、３６…第３の溶融樹脂材料の供給路、３７…第４の溶融樹脂材料の供給路、３８…第３供給口、３９…第４供給口、４０…吐出口、４１…第３のシート、４２…第４のシート、４３…第２の積層体シート、４４…第５押出機、４５…第６押出機、４６…Ｔダイ、４７…第７冷却ロール、４８…第８冷却ロール、４９…第９冷却ロール、５０…第２積層体の供給ロール、５１…第５の溶融樹脂材料の供給路、５２…第６の溶融樹脂材料の供給路、５３…第５供給口、５４…第６供給口、５５…吐出口、５６…第５のシート、５７…第６のシート、５８…積層体シート、５９…成形品、６１…透明二層反射フィルム、７１…透明多層反射フィルム、７２…積層フィルム、７３Ａ…第１エンボスフィルム、７３Ｂ…第２エンボスフィルム、７３Ｃ…第３エンボスフィルム、７４Ａ…第１万線状溝、７４Ｂ…第２万線状溝、７４Ｃ…第３万線状溝。
【図１】
2016107563.tif 000003
【図２】
2016107563.tif 000004
【図３】
2016107563.tif 000005
【図４】
2016107563.tif 000006
【図５】
2016107563.tif 000007
【図６】
2016107563.tif 000008
【図７】
2016107563.tif 000009
【図８】
2016107563.tif 000010
【図９】
2016107563.tif 000011
【図１０】
2016107563.tif 000012
【図１１】
2016107563.tif 000013
【図１２】
2016107563.tif 000014